(57)【要約】【課題】黒点映像不良の原因となるバリの受光面への脱落を防ぐとともに、生産性が向上する固体撮像装置およびその製造方法を提供する。【解決手段】本発明の固体撮像装置は、第１の開口部が設けられた第１の基板と、前記第１の開口部よりも小さい第２の開口部が設けられた第２の基板と、固体撮像素子と、前記固体撮像素子の受光部に入射する光信号を調整する光学系部材とを備え、前記第１の基板と前記第２の基板とは、前記第１の開口部と前記第２の開口部とが重なるとともに、前記第１の開口部の内側に第２の基板の開口部が露出するように積層されており、前記第１の基板が積層された側の第２の基板面上であって、第１の基板の開口部の内側から露出している部分に、前記光学系部材が載置されるとともに、前記第１の開口部が覆われる位置に前記固体撮像素子が搭載され、前記固体撮像素子と前記光学系部材とが一体に樹脂封止されているものである。【選択図】図１
2008172307.tif 000002
【特許請求の範囲】
【請求項１】
第１の開口部が設けられた第１の基板と、
前記第１の開口部よりも小さい第２の開口部が設けられた第２の基板と、
光信号を電気信号に変換する固体撮像素子と、
前記固体撮像素子の受光部に入射する光信号を調整する光学系部材と
を備え、
前記第１の基板と前記第２の基板とは、前記第１の開口部と前記第２の開口部とが重なるとともに、前記第１の開口部の内側に第２の基板の開口部が露出するように積層されており、
前記第１の基板が積層された側の第２の基板面上であって、第１の基板の開口部の内側から露出している部分に、前記光学系部材が載置されるとともに、
前記第２の基板が積層されていない側の第１の基板面上であって、前記第１の開口部が覆われる位置に前記固体撮像素子が搭載され、
前記固体撮像素子と前記光学系部材とが一体に樹脂封止されている固体撮像装置。
【請求項２】
前記光学系部材は、光学フィルタである請求項１に記載の固体撮像装置。
【請求項３】
前記光学系部材は、赤外線カット機能を有するレンズである請求項１に記載の固体撮像装置。
【請求項４】
前記第２の開口部は、前記固体撮像素子の受光面に入る光量を調節する絞り部が形成されている請求項３に記載の固体撮像装置。
【請求項５】
前記第１の基板は、ガラスエポキシ材料からなるフレキシブル基板である請求項１から請求項４のいずれか一項に記載の固体撮像装置。
【請求項６】
前記第２の基板は、金属板で形成されている請求項１から請求項５のいずれか一項に記載の固体撮像装置。
【請求項７】
光信号を電気信号に変換する固体撮像素子と、前記固体撮像素子の受光部に入射する光信号を調整する光学系部材とを備える固体撮像装置の製造方法であって、
第１の開口部が設けられた第１の基板と、前記第１の開口部よりも小さい第２の開口部が設けられた第２の基板とを、前記第１の開口部と前記第２の開口部とが重なるとともに、前記第１の開口部の内側に第２の基板の開口部が露出するように積層させて構造体を成形する構造体成形工程と、
前記第１の基板が積層された側の第２の基板面上であって、第１の基板の開口部の内側に露出している部分に、前記光学系部材を載置する光学系部材装着工程と、
前記第２の基板が積層されていない側の第１の基板面上であって、前記第１の開口部を覆うように前記固体撮像素子を装着する固体撮像素子装着工程と、
前記固体撮像素子と前記光学系部材とを一体に樹脂封止する樹脂封止工程と
を含む固体撮像装置の製造方法。
【発明の詳細な説明】
【技術分野】
【０００１】
本発明は、固体撮像装置およびその製造方法に係り、特に、監視カメラ、医療用カメラ、車載用カメラ、情報通信端末用カメラなどの固体撮像素子を用いて形成される小型の固体撮像装置およびその製造方法に関するものである。
【背景技術】
【０００２】
近年、固体撮像素子を用いる固体撮像装置は、小型化、高性能化が進むに伴い、カメラも小型化され、各方面で使用されてきており、映像の入力装置としての市場を広げている。
【０００３】
固体撮像装置は、レンズ、固体撮像素子、その駆動回路および信号処理回路などを搭載したＬＳＩ等の部品を夫々筐体あるいは構造体に形成して、これらを組み合わせて構成される。このような組み合わせによる実装構造は、従来、平板上に各素子を搭載することによって形成されている。
【０００４】
これに対して、装置の更なる小型化を図るため、樹脂製の立体プリント基板が提案されている（特許文献１参照）。
【０００５】
図７は、従来の立体プリント基板を用いた固体撮像装置の外観斜視図である。図８は、図７中のＡ−Ａ線断面図である。図７、図８に示すように、従来の樹脂製の立体プリント基板１０１は、矩形台状の脚部１０１ａとその上に形成された胴部１０１ｂとからなり、立体プリント基板１０１の中央部には、脚部１０１ａと胴部１０１ｂとを貫通する貫通開口部１０１ｃが形成されている。
【０００６】
また、立体プリント基板１０１は、脚部１０１ａの裏面側にプリント配線パターン１１０が形成されるとともに、胴部１０１ｂの内周には、レンズ１０２が嵌めこまれている。また、立体プリント基板１０１は、光軸１０９を中心にして、貫通開口部１０１ｃのうち胴部１０１ｂ側の開口端部に設けられた段差部１０１ｄに光学フィルタ１０３が配置され、段差部１０１ｄが設けられた開口端部と反対側の開口面上に、固体撮像素子１０４が配置されている。また、レンズ１０２に入り込む光量を調節する絞り部材１０５が胴部１０１ｂの内側に嵌め込まれている。
【０００７】
固体撮像素子１０４は、表面に形成されたバンプ１０４ａを介して脚部１０１ａに形成されたプリント配線パターン１１０に接続し、封止樹脂１０７で封止されることによって立体プリント基板１０１に固定されている。
【０００８】
また、立体プリント基板１０１のプリント配線パターン１１０は、ソルダペースト１１１等を用いて、携帯電話、パソコン等の各種機器のメイン基板１０８に電気的に接続している。
【０００９】
次に、図９、図１０、図１１に従来の固体撮像装置の組み立て工程図を示す。実装に際して、まず、プリント配線パターン１１０が形成した立体プリント基板１０１を成形する（図９（ａ））。そして、貫通開口部１０１ｃのうちレンズ設置側の開口端部周辺に設けられた段差部１０１ｄ上に接着材１１３を塗布する（図９（ｂ））。その後、接着材１１３上に、貫通開口部１０１ｃを塞ぐように光学フィルタ１０３を載置して、接着剤を硬化させる（図９（ｃ））。
【００１０】
次に、固体撮像素子１０４を装着する工程を行うため、立体プリント基板１０１を反転させる（図９（ｄ））。そして、プリント配線パターン１１０上に、プリント配線パターン１１０とバンプ１０４ａとが接触する位置であって固体撮像素子１０４が貫通開口部１０１ｃを覆う位置に固体撮像素子１０４を載置する（図１０（ａ））。
【００１１】
この後、固体撮像素子１０４と立体プリント基板１０１の隙間に封止樹脂１０７を、光を照射しながら注入する（図１０（ｂ））。このとき、封止樹脂１０７は、照射された光が届く範囲で硬化する。図１０（ｂ）中の１０７ａは、光照射により硬化した封止樹脂硬化部を示している。さらに、この後、封止樹脂１０７の残りの部分を熱硬化させて、固体撮像素子１０４の装着工程が終了する（図１０（ｃ））。１０７ｂは、封止樹脂の熱硬化部を示している。
【００１２】
次に、レンズを搭載する工程を行うために再び、立体プリント基板１０１を反転させる（図１０（ｄ））。そして、立体プリント基板１０１の胴部１０１ｂの内周にレンズ１０２を嵌め込む（図１１（ａ））。その後、レンズの上にドーナツ形状の絞り部材１０５を更に嵌め込む（図１１（ｂ））。次に、絞り部材１０５を嵌め込んだ後、絞り部材１０５と胴体１０１ｂの境界部付近に接着剤１０５ａを塗布する（図１１（ｃ））。最後に、接着材１０５ａを硬化させて、固体撮像装置１００の組み立て工程が完了する。
【００１３】
このように、特許文献１には、立体プリント基板を用いることで、小型化した固体撮像装置を製造することができる旨が記載されている。
【特許文献１】特開２００１−２４５１８６号公報
【発明の開示】
【発明が解決しようとする課題】
【００１４】
しかしながら、上述の立体プリント基板１０１は、構造絶縁性のポリフタルアミド樹脂等を金型成型して形成されるものであり、貫通開口部１０１ｃの端部や段差部１０１ｄ等の端部にバリが発生してしまうことがあった。この場合、上述の固体撮像装置は、立体プリント基板１０１の貫通開口部１０１ｃの壁面や端部が固体撮像素子１０４の受光面１０４ｂに対して露出しているため、組み立て工程が完了した後であっても何らかの衝撃等により、貫通開口部１０１ｃの壁面や端部から発生したバリが固体撮像素子１０４の受光面１０４ｂ上に脱落して、黒点映像不良の原因となることがあった。
【００１５】
また、上述の立体プリント基板１０１を用いる固体撮像装置は、固体撮像素子１０４と光学フィルタ１０３とを、互いに反対側の開口端部に装着する構成である。そのため、製造工程において、固体撮像素子１０４と光学フィルタ１０３のいずれか一方を装着する工程が終了した後、もう一方を装着する工程を行う前に、立体プリント基板１０１の上下を反転させる工程が必要となってしまい、製造工程が長く生産性が低いものであった。
【００１６】
また、上述の立体プリント基板１０１のように段差部を有する立体的形状の基板は、通常は金型成形で製造するものであり、微細な設計変更が必要となった場合であっても、その度に金型から再設計する必要があり生産性が低いものであった。
【００１７】
本発明は、上記事情を鑑みてなされたものであり、黒点映像不良の原因となるバリの受光面への脱落を防ぐとともに、生産性が向上する固体撮像装置およびその製造方法を提供することを目的とする。
【課題を解決するための手段】
【００１８】
本発明の固体撮像装置は、第１の開口部が設けられた第１の基板と、前記第１の開口部よりも小さい第２の開口部が設けられた第２の基板と、光信号を電気信号に変換する固体撮像素子と、前記固体撮像素子の受光部に入射する光信号を調整する光学系部材とを備え、前記第１の基板と前記第２の基板とは、前記第１の開口部と前記第２の開口部とが重なるとともに、前記第１の開口部の内側に第２の基板の開口部が露出するように積層されており、前記第１の基板が積層された側の第２の基板面上であって、第１の基板の開口部の内側から露出している部分に、前記光学系部材が載置されるとともに、前記第２の基板が積層されていない側の第１の基板面上であって、前記第１の開口部が覆われる位置に前記固体撮像素子が搭載され、前記固体撮像素子と前記光学系部材とが一体に樹脂封止されている。
【００１９】
この構成により、従来のように固体撮像素子と光学系部材とが立体基板を挟み込む形式で装着されるのではなく、第１の基板と第２の基板で構成された構造体の一方の側に固体撮像素子と光学系部材とが装着され、一体に樹脂封止されるので、開口部の内壁や端部は光学系部材や封止樹脂で覆われ、固体撮像素子の受光面に露出しない。よって、黒点映像不良の原因となるバリの受光面への脱落を防ぐことができる。
【００２０】
本発明の固体撮像装置は、前記光学系部材を光学フィルタとしても良く、また、赤外線カット機能を有するレンズとしても良い。
【００２１】
この構成により、赤外線カット機能を有する光学フィルタをレンズと一体に形成することで、部品点数を削減することができる。
【００２２】
また、本発明の固体撮像装置は、前記第２の開口部は、前記固体撮像素子の受光面に入る光量を調節する絞り部が形成されているものとしても良い。
【００２３】
この構成により、従来の立体基板のように絞り部材を嵌め込む胴部を設けなくて良いので、装置全体の形状を小型・薄型化することができる。また、絞り部を構造体成形工程で形成しておくことで、後から絞り部材を装着する工程を省略することができる。
【００２４】
また、本発明の固体撮像装置は、前記第１の基板が、ガラスエポキシ材料からなるフレキシブル基板であるものとしても良い。
【００２５】
この構成により、既存の基板に対して特殊（複雑）な加工ではなく開口部を設ける加工のみで、光学系部材を装着する段差構造を形成することができるので生産性が向上する。
【００２６】
また、本発明の固体撮像装置は、前記第２の基板が金属板で形成されているものとしても良い。
【００２７】
この構成により、第２の基板はシールド機能を兼ねることができる。
【００２８】
また、本発明の固体撮像装置の製造方法は、光信号を電気信号に変換する固体撮像素子と、前記固体撮像素子の受光部に入射する光信号を調整する光学系部材とを備える固体撮像装置の製造方法であって、第１の開口部が設けられた第１の基板と、前記第１の開口部よりも小さい第２の開口部が設けられた第２の基板とを、前記第１の開口部と前記第２の開口部とが重なるとともに、前記第１の開口部の内側に第２の基板の開口部が露出するように積層させて構造体を成形する構造体成形工程と、前記第１の基板が積層された側の第２の基板面上であって、第１の基板の開口部の内側に露出している部分に、前記光学系部材を載置する光学系部材装着工程と、前記第２の基板が積層されていない側の第１の基板面上であって、前記第１の開口部を覆うように前記固体撮像素子を装着する固体撮像素子装着工程と、前記固体撮像素子と前記光学系部材とを一体に樹脂封止する樹脂封止工程とを含むものである。
【００２９】
この工程により、光学系部材を載置する段差形状を有する構造体を、第１の基板と第２の基板との貼り合わせにより製造するので簡易な加工で済む。また、光学系部材と固体撮像素子とが、構造体の同一面上に配置されるものであるので、各部材を構造体に装着するのに、構造体の上下を反転させる工程を行わずに一連の工程で行うことができる。すなわち、反転工程を省略することができる。また、各部材を接着する工程も樹脂封止により一度で済み、従来の製造方法に比べて生産性が向上する。
【発明の効果】
【００３０】
本発明によれば、黒点映像不良の原因となるバリの受光面への脱落を防ぐとともに、生産性が向上する固体撮像装置およびその製造方法を提供することができる。
【発明を実施するための最良の形態】
【００３１】
以下、本発明に係る実施の形態について図面を参照して詳細に説明する。
【００３２】
（実施の形態１）
図１は、本実施の形態１の固体撮像装置の分解斜視図である。図２は、図１中のＡ−Ａ線断面図である。図３、図４は、本実施の形態１の固体撮像装置の組み立て工程を説明する図である。
【００３３】
図１、図２に示すように、本実施の形態１の固体撮像装置１０は、略正方形状の第１の基板２１と第２の基板１１とにより構成される構造体３１に、レンズ１２と固体撮像素子１３とが装着されて構成されるものである。
【００３４】
第１の基板２１は、ガラスエポキシ材料からなるフレキシブル基板であり、第２の基板１１と略同形状の正方形状である。また、第１の基板２１には、中央部に略円形状の第１の開口部２１ａが形成されている。この第１の開口部２１ａは、後述するレンズ１２が嵌る大きさに設計されている。また、第１の基板２１には、第２の基板１１と積層しない側の面に、固体撮像素子１３と接続する配線部２１ｂが形成されている。
【００３５】
第２の基板１１は、金属材料からなる基板であり、第１の基板２１と略同形状の正方形状である。また、第２の基板１１には、中央部に略円形の開口部１１ａが形成されている。第２の開口部１１ａの大きさ（広さ）は、第１の開口部２１ａと比べて小さいものである。すなわち、第２の開口部１１ａの大きさは、第１の開口部２１ａの内側に第２の開口部１１ａが収まる程度の大きさであるとともに、固体撮像素子１３の受光部１３ｂに十分な光量が届く程度の大きさである。また、第２の開口部１１ａの外周縁部には、レンズ１２に入り込む光量を調節する絞り部１１ｂが形成されている。
【００３６】
構造体３１は、上述の第１の基板２１と第２の基板１１とが貼り合わせて形成されているものである。貼り合わせの際には、第１の開口部２１ａと第２の開口部１１ａの中心部が一致するように両基板は積層されている。この構成により、構造体３１は、第１の開口部２１ａの内側に第２の開口部１１ａ全体が露出し、さらに、各開口部の大きさの差分だけ、第２の開口部の周辺部１１ｃ（露出部１１ｃ）が露出している。この第２の基板の露出部１１ｃと第１の開口部２１ａの内壁とで構成される段差構造に、レンズ１２が嵌め込まれている。
【００３７】
レンズ１２は、例えば、中央部が縁部より厚い凸形のレンズであって、開口部を通過して入射してくる光を固体撮像素子１３の受光面１３ｂに導くものであり、レンズの縁部が第２の開口部の周辺の露出部１１ｃに載置されている。
【００３８】
また、このレンズ１２は、赤外線除去機能を有する材料で凸レンズ形状に形成されたもので、表面に真空蒸着等のコーティング方法により反射防止膜が施されている。
【００３９】
固体撮像素子１３は、半導体素子の製造技術を用いて集積回路化された光電変換素子であって、光を検出して電荷を発生させるフォトダイオードが配列されたものであり、バンプ１３ａを介して配線部２１ｂの一部に装着され電気的に接続している。
【００４０】
上述のように、レンズ１２は、第２の基板の露出部１１ｃと第１の開口部２１ａの内壁とで構成される段差構造に装着されている。また、固体撮像素子１３は、その受光面１３ｂが、レンズ１２から所定間隔だけ離れるとともにレンズ１２を、レンズ１２が装着された側と同一面側から覆うように装着されている。さらに、レンズ１２と固体撮像素子１３は、樹脂封止体１４により一体成形されている。このようにして、固体撮像素子１３の受光面１３ｂは、レンズ１２と樹脂封止体１４とにより形成される密封空間に包囲されている。
【００４１】
このように、本実施の形態１の固体撮像装置１０は、固体撮像素子１３の受光面１３ｂが構造体３１の開口部の内壁面に露出していないので、黒点映像不良の原因となるバリの受光面への脱落を防ぐことができる。
【００４２】
また、従来の立体基板のように絞り部材やレンズを嵌め込む胴部を設けなくて良いので、立体形状の構造体を小型・薄型化することができる。また、赤外線カット機能や反射防止機能等をレンズに持たせることで、光学フィルタを省略しているので、部品点数を削減することができる。
【００４３】
次に、この固体撮像装置１０の製造方法について説明する。
【００４４】
（構造体成形工程）
図３（ａ）、図３（ｂ）に示すように、この工程では、第２の基板１１と第１の基板２１とを接着材等により貼り合せて構造体３１を形成する。貼り合わせの際、第１の開口部２１ａと第２の開口部１１ａの中心部が一致するように両基板を積層する。また、貼りあわせの際、第１の基板２１の配線部２１ｂが形成されていない側の面が、第２の基板２１と貼りつく側の面となる。
【００４５】
このようにして形成された構造体３１は、第１の開口部２１ａの内側に第２の開口部１１ａ全体が露出している。すなわち、各開口部の大きさの差分だけ、第２の開口部の周辺部１１ｃ（露出部１１ｃ）が露出している。また、この第２の基板の露出部１１ｃと第１の開口部２１ａの内壁とにより、後にレンズを嵌め込む段差構造が形成されている。
【００４６】
（レンズ装着工程）
この工程では、図３（ｃ）に示すように、構造体３１の段差構造上にレンズ１２を嵌め込む。レンズ１２が嵌め込まれた結果、構造体３１の開口部は塞がれた状態となる。
【００４７】
（固体撮像素子装着工程）
続いて、図４（ａ）に示すように、構造体３１の配線部２１ｂが形成されている側の面上に、固体撮像素子１３の受光部１３ｂの中心に光軸が通るように、固体撮像素子１３を装着する。ここで、固体撮像素子１３の接続電極であるバンプ１３ａは、配線部２１ｂの所定位置に熱圧着によって接続される。
【００４８】
（樹脂封止工程）
そして、図４（ｂ）、図４（ｃ）に示すように、固体撮像素子１３と構造体３１の隙間に封止樹脂１４を、光を照射しながら注入する（図４（ｂ））。このとき、構造体３１の開口部の固体撮像素子１３の装着されていない側から、光を照射し、封止樹脂１４を照射された光が届く範囲で硬化させる。さらに、この後、封止樹脂１４を熱硬化させて、レンズ１２と固体撮像素子１３とを樹脂封止体１４により一体に被覆する（図４（ｃ））。このようにして、本実施の形態１の固体撮像装置１０は製造される。
【００４９】
以上のように、本実施の形態１の固体撮像装置１０の製造方法は、レンズ１２と固体撮像素子１３とが、構造体３１の同一面側に装着されるものであるので、各部材を構造体３１に装着するのに、構造体３１の上下を反転させる工程を行わずに一連の工程で行うことができる。すなわち、反転工程を省略することができる。
【００５０】
また、各部材を接着する工程も樹脂封止により一度で済む。また、絞り部を構造体成形工程で形成しておくことで、後から絞り部材を装着する工程を省略することができる。
【００５１】
このように、本実施の形態１の固体撮像装置１０の製造方法は、従来の反転工程や絞り部材を嵌め込む工程を省略することができるので、従来の製造方法に比べて生産性が向上するものである。
【００５２】
なお、第２の基板１１に絞り部１１ｂを形成せずに、別部材として絞り部材を嵌め込む構造としても良い。
【００５３】
（実施の形態２）
図５は、本実施の形態２の固体撮像装置５０の要部断面図である。なお、以下の説明では、上述した構成要素と同一の構成要素には同一の符号を付し、その説明を省略する。
【００５４】
本実施の形態２の固体撮像装置５０が実施の形態１の固体撮像装置１０と異なる点は、レンズ６４と光学フィルタ６３が別部材であり、第２の基板５１にレンズ嵌込部５１ａが設けられている点である。
【００５５】
すなわち、構造体６１は、レンズ嵌込部５１ａを有する第２の基板５１と第１の基板２１とが貼り合わされて形成されたものである。第２の基板５１には、絞り部は形成されておらず、レンズ６４の縁部上に別部材として絞り部材６２が嵌め込まれている。
【００５６】
また、レンズ６４は、赤外線除去機能は有さない材料で形成されている。光学フィルタ６３は、赤外線除去機能を果たすものである。
【００５７】
製造方法については、樹脂封止工程までは、レンズ１２の代わりに光学フィルタ６３を段差構造上に嵌め込む点を除いて実施の形態１の固体撮像装置１０と同様である。樹脂封止工程の後は、レンズ嵌込部５１ａにレンズ６４を嵌め込み、さらに絞り部材６２を嵌め込み、接着剤等で接着して終了する。
【００５８】
上述のように、固体撮像装置５０は、光学フィルタ６３が、第２の基板の露出部と第１の開口部２１ａの内壁とで構成される段差構造に装着されている。また、固体撮像素子１３は、その受光面１３ｂが、光学フィルタ６３から所定間隔だけ離れるとともに光学フィルタ６３を、光学フィルタ６３が装着された側と同一面側から覆うように装着されている。さらに、光学フィルタ６３と固体撮像素子１３は、樹脂封止体１４により一体成形されている。このようにして、固体撮像素子１３の受光面１３ｂは、光学フィルタ６３と樹脂封止体１４とにより形成される密封空間に包囲されている。
【００５９】
このように、本実施の形態２の固体撮像装置５０は、固体撮像素子１３の受光面１３ｂが構造体３１の開口部の内壁面に露出していないので、黒点映像不良の原因となるバリの受光面への脱落を防ぐことができる。
【００６０】
（実施例）
図６は、本実施の形態１の固体撮像装置１０の実施例を示すものである。なお、以下の説明では、上述した構成要素と同一の構成要素には同一の符号を付し、その説明を省略する。
【００６１】
図６に示す実施例は、上述の固体撮像装置１０を携帯電話用のカメラモジュールに応用した場合の実施例である。カメラモジュール８０は、固体撮像装置１０の第１の基板２１とフレキシブル基板７１とが接続領域Ｓにおいて板間接合されており、固体撮像素子１３から出力される電気信号がＩＣチップ７２側まで伝達する構成となっている。この電気信号は、さらに携帯電話のメイン基板へと伝達し処理される。
【００６２】
このカメラモジュール８０は、この構成により、黒点映像不良の原因となるバリの受光面への脱落が予防されているので、製品品質が向上する。さらに、従来の立体基板のように絞り部材やレンズを嵌め込む胴部を設けなくて良いので、カメラモジュール全体の構造を小型・薄型化することができ、携帯電話の小型・薄型化に寄与するものである。
【００６３】
また、上述の固体撮像装置は、カメラとして、光通信分野に限定されることなく、ＣＤ、ＤＶＤなどの読み取り素子、複写機の読み取り素子、医療機器あるいはドアホンなど、種々の光学機器への適用が可能である。
【産業上の利用可能性】
【００６４】
本発明の固体撮像装置およびその製造方法は、黒点映像不良の原因となるバリの受光面への脱落を防ぐとともに、生産性が向上する固体撮像装置およびその製造方法として有用である。
【図面の簡単な説明】
【００６５】
【図１】本実施の形態１の固体撮像装置の分解斜視図
【図２】図１中のＡ―Ａ線断面図
【図３】（ａ）本実施の形態１の固体撮像装置の構造体成形工程を説明する図、（ｂ）本実施の形態１の固体撮像装置のレンズ装着工程を説明する図、（ｃ）本実施の形態１の固体撮像装置の固体撮像素子装着工程を説明する図
【図４】（ａ）本実施の形態１の固体撮像装置の樹脂封止工程を説明する図、（ｂ）本実施の形態１の固体撮像装置の樹脂封止工程を説明する図、（ｃ）本実施の形態１の固体撮像装置の使用例を説明する図
【図５】本実施の形態２の固体撮像装置の要部断面図
【図６】実施例の携帯電話用のカメラモジュールの要部断面図
【図７】従来の固体撮像装置の外観斜視図
【図８】図７中のＡ−Ａ線断面図
【図９】従来の固体撮像装置の組み立て工程を説明する図
【図１０】従来の固体撮像装置の組み立て工程を説明する図
【図１１】従来の固体撮像装置の組み立て工程を説明する図
【符号の説明】
【００６６】
１０            固体撮像装置
１１            第２の基板
１１ａ          第２の開口部
１１ｂ          絞り部
１１ｃ          露出部
２１            第１の基板
２１ａ          第１の開口部
２１ｂ          配線部
１２            レンズ
１３            固体撮像素子
１３ａ          バンプ
１３ｂ          受光面
１４            封止樹脂
【図１】
2008172307.tif 000003
【図２】
2008172307.tif 000004
【図３】
2008172307.tif 000005
【図４】
2008172307.tif 000006
【図５】
2008172307.tif 000007
【図６】
2008172307.tif 000008
【図７】
2008172307.tif 000009
【図８】
2008172307.tif 000010
【図９】
2008172307.tif 000011
【図１０】
2008172307.tif 000012
【図１１】
2008172307.tif 000013